(57)【特許請求の範囲】
【請求項１】
それぞれの開口部が同じ面にある状態で一方が他方に収容された開放状態と、柔軟性のあるシート状の袋を挟んだ状態でそれぞれの開口部同士が突き合わされて全体として一つの閉じた中空のカップを構成する閉鎖状態のいずれかで使用される、互いに径が異なる非透明の第１及び第２の中空半カップ体と、
前記第１の中空半カップ体に端部が固定された中空の第１のシャフト部と、前記第１のシャフト部内を回動自在に貫通して前記第２の中空半カップ体に端部が固定され、かつ、前記第１のシャフト部とは独立して回動する第２のシャフト部とからなる二重シャフトと、
前記第１及び第２の中空半カップ体と前記二重シャフトとを支持するレバー状の把持部と、
前記把持部を所定値以上の握力で握ることで前記第１及び第２のシャフト部を互いに逆方向に回動させ、前記第１及び第２の中空半カップ体を前記閉鎖状態とする駆動部と、
前記把持部の握りを緩めることで前記第１及び第２のシャフト部を互いに逆方向に、かつ、前記閉鎖状態とは逆方向に回動させ、前記第１及び第２の中空半カップ体を前記開放状態に自動復帰させるバネ部材と、
を備え、前記第１及び第２の中空半カップ体、前記二重シャフト及び前記駆動部は、それぞれ強化プラスチック、スチール、ステンレススチール又はそれらの複合部材から構成されており、前記袋上に落下させた愛玩動物の排泄物を、前記閉鎖状態とした前記第１及び第２の中空半カップ体で構成される前記中空のカップの内部に回収することを特徴とする愛玩動物用排泄物処理具。
【請求項２】
前記把持部は、共通の軸を支点として互いに近付く方向又は遠ざかる方向に移動する前記第１及び第２のレバー状把持部品からなり、
前記駆動部は、
前記第１及び第２のレバー状把持部品の一方にそれぞれ前記第１及び第２のレバー状把持部品の移動方向に沿って所定のピッチでほぼ平行に複数の穴が２列に穿設された駆動部分と、
前記駆動部分に前記２列に穿設された前記複数の穴のうち、一方の列の複数の穴にのみ噛合し、かつ、その中心部が前記第１のシャフト部の前記第１の中空半カップ体に固定された端部とは反対側の端部に固定された第１の歯車と、
前記駆動部分に前記２列に穿設された前記複数の穴のうち、他方の列の複数の穴にのみ噛合するように前記第１の歯車とは直径が異なっており、かつ、その中心部が前記第２のシャフト部の前記第２の中空半カップ体に固定された端部とは反対側の端部に固定された第２の歯車と
からなり、前記駆動部分の移動に従い、前記第１及び第２の歯車を互いに逆方向に回動させることを特徴とする請求項１記載の愛玩動物用排泄物処理具。
【発明の詳細な説明】
【技術分野】
【０００１】
本発明は愛玩動物用排泄物処理具に係り、特に犬等の愛玩動物の排泄物を地上落下前に回収して処理する愛玩動物用排泄物処理具に関する。
【背景技術】
【０００２】
飼い主が飼い犬を屋外にて散歩させる際、その飼い犬が排便・排尿する排泄物（特に糞）が道路上に飛散して汚すことがないようにすることは、環境保護、衛生面などの点から重要である。そこで、この点から犬等の愛玩動物の排泄物を排泄時に回収して処理する愛玩動物用排泄物処理具が、従来より種々提案されている（例えば、特許文献１〜４参照）。
【０００３】
特許文献１には、地面に接する左右輪部を有する四角状受枠の内側空所にビニール等の柔軟性袋を装填し、その袋内に排泄物を収納する構成の汚物収納器具が開示されている。また、特許文献２には、中空パイプの柄部内にステンレス製のワイヤを通し、柄部先端から突出した上記ワイヤの先端部に袋を保持、開閉できるようにし、排便時にはその袋を広げてその袋内に排泄物を収納する構成の糞取り器具が開示されている。
【０００４】
また、特許文献３には、側面から見てクランク状に形成した鉗子と、その鉗子の下方部に着脱自在に取り付けた外袋と、その外袋の中に配設する内袋からなり、排便姿勢に入った動物の肛門の下に外袋及び内袋の口を開いて差出して内袋内に糞を回収する構成の動物用糞取り具が開示されている。
【０００５】
更に、特許文献４には、長い柄の下部に糞回収部及び糞収容部を含む糞収納箱を設け、柄を傾けると糞収容箱が前に倒れ、糞回収部に糞を回収できるようにし、糞回収後は柄を元に戻すと糞収容部に糞が収容されると共に、糞収容箱が起き上がり箱取付け部が蓋の作用をして糞回収箱内を外部から見えないようにする構成のペット携帯トイレが開示されている。
【先行技術文献】
【特許文献】
【０００６】
【特許文献１】実用新案登録第３１６２４０７号公報
【特許文献２】特開２０１２−０３９９８７号公報
【特許文献３】特開２００７−３０６８０８号公報
【特許文献４】実用新案登録第３１５６９１３号公報
【発明の概要】
【発明が解決しようとする課題】
【０００７】
しかしながら、特許文献１記載の汚物収納器具は、ビニール等の透明の柔軟性袋内に排泄物を収納する構成であるため、収容された排泄物が外部から見えてしまい、不潔感を与えるという問題がある。
【０００８】
また、特許文献２記載の糞取り器具は、袋の内部に敷いたトイレットペーパー等に排泄物を収容するために収容された排泄物は外部から見えないが、袋が底下に握り部を有する専用袋であるため汎用性に問題があり、また、トイレットペーパーを使用するためランニングコストがかかるという問題もある。
【０００９】
また、特許文献３記載の動物用糞取り具は、外袋を非透明とすることで収容された排泄物は外部から見えないが、開いた状態では外袋は開口が矩形状の比較的大きな構成であるため、携帯時に外袋及び内袋を閉じた状態としても全体の形状が大きく持ち運びが不便である。
【００１０】
更に、特許文献４記載のペット携帯トイレは、排泄物（糞）を収容した糞回収箱内は蓋により外部から見えないが、糞回収箱内の排泄物を柄を操作して捨てた後、次に使用するために糞収納箱を流水やトイレの流水部で洗浄する必要があり、洗浄が面倒であり、衛生面でも問題である。
【００１１】
本発明は以上の点に鑑みなされたもので、簡単に排泄物の回収及び廃棄ができ、また回収した排泄物は外部から見えず、しかも洗浄が不要で、携帯性に優れた愛玩動物用排泄物処理具を提供することを目的とする。
【課題を解決するための手段】
【００１２】
本発明は上記の目的を達成するため、それぞれの開口部が同じ面にある状態で一方が他方に収容された開放状態と、柔軟性のあるシート状の袋を挟んだ状態でそれぞれの開口部同士が突き合わされて全体として一つの閉じた中空のカップを構成する閉鎖状態のいずれかで使用される、互いに径が異なる非透明の第１及び第２の中空半カップ体と、第１の中空半カップ体に端部が固定された中空の第１のシャフト部と、第１のシャフト部内を回動自在に貫通して第２の中空半カップ体に端部が固定され、かつ、第１のシャフト部とは独立して回動する第２のシャフト部とからなる二重シャフトと、第１及び第２の中空半カップ体と二重シャフトとを支持するレバー状の把持部と、把持部を所定値以上の握力で握ることで第１及び第２のシャフト部を互いに逆方向に回動させ、第１及び第２の中空半カップ体を閉鎖状態とする駆動部と、把持部の握りを緩めることで第１及び第２のシャフト部を互いに逆方向に、かつ、閉鎖状態とは逆方向に回動させ、第１及び第２の中空半カップ体を開放状態に自動復帰させるバネ部材と、を備え、第１及び第２の中空半カップ体、二重シャフト及び駆動部は、それぞれ強化プラスチック、スチール、ステンレススチール又はそれらの複合部材から構成されており、袋上に落下させた愛玩動物の排泄物を、閉鎖状態とした第１及び第２の中空半カップ体で構成される中空のカップの内部に回収することを特徴とする。
【００１３】
また、上記の目的を達成するため、把持部は、共通の軸を支点として互いに近付く方向又は遠ざかる方向に移動する第１及び第２のレバー状把持部品からなり、
駆動部は、第１及び第２のレバー状把持部品の一方にそれぞれ第１及び第２のレバー状把持部品の移動方向に沿って所定のピッチでほぼ平行に複数の穴が２列に穿設された駆動部分と、駆動部分に２列に穿設された複数の穴のうち、一方の列の複数の穴にのみ噛合し、かつ、その中心部が第１のシャフト部の第１の中空半カップ体に固定された端部とは反対側の端部に固定された第１の歯車と、駆動部分に２列に穿設された複数の穴のうち、他方の列の複数の穴にのみ噛合するように第１の歯車とは直径が異なっており、かつ、その中心部が第２のシャフト部の第２の中空半カップ体に固定された端部とは反対側の端部に固定された第２の歯車とからなり、駆動部分の移動に従い、第１及び第２の歯車を互いに逆方向に回動させることを特徴とする。
【発明の効果】
【００１４】
本発明によれば、簡単に排泄物の回収及び廃棄ができ、また回収した排泄物は外部から見えず、しかも洗浄を不要とすることができ、更に携帯性に優れた構成にできる。
【図面の簡単な説明】
【００１５】
【図１】本発明の愛玩動物用排泄物処理具の一実施の形態の開放時の概略斜視図である。
【図２】本発明の愛玩動物用排泄物処理具の一実施の形態の開放時の平面図、左側面図、右側面図及び正面図である。
【図３】本発明の愛玩動物用排泄物処理具の一実施の形態の閉鎖時の概略斜視図である。
【図４】本発明の愛玩動物用排泄物処理具の一実施の形態の閉鎖時の平面図、左側面図、右側面図及び正面図である。
【図５】把持部１３の一実施の形態の構成説明図である。
【図６】駆動部１４の一実施の形態の平面図である。
【図７】駆動部１４の一実施の形態の概略外観斜視図である。
【図８】駆動部１４の一実施の形態の概略外観正面図である。
【図９】駆動部１４の一実施の形態の正面図である。
【図１０】排泄物回収時の一例の説明図である。
【発明を実施するための形態】
【００１６】
次に、本発明の実施の形態について図面を参照して説明する。
【００１７】
図１は、本発明になる愛玩動物用排泄物処理具の一実施の形態の開放時の概略斜視図、図２（Ａ）、（Ｂ）、（Ｃ）及び（Ｄ）は、本発明になる愛玩動物用排泄物処理具の一実施の形態の開放時の平面図、左側面図、右側面図及び正面図を示す。また、図３は、本発明になる愛玩動物用排泄物処理具の一実施の形態の閉鎖時の概略斜視図、図４（Ａ）、（Ｂ）、（Ｃ）及び（Ｄ）は、本発明になる愛玩動物用排泄物処理具の一実施の形態の閉鎖時の平面図、左側面図、右側面図及び正面図を示す。図１〜図４中、同一構成部分には同一符号を付してある。
【００１８】
図１〜図４に示すように、本実施の形態の愛玩動物用排泄物処理具１０は、中空半球体１１ａ及び１１ｂと、二重シャフト１２と、把持部１３と、二重シャフト１２を駆動する駆動部１４と、把持部１３の支点付近に配設されたバネ１５と、ポリ袋クリップ１６とから大略構成されている。二重シャフト１２は、後述するように中空半球体１１ａの開口部の端部に一端が固定された中空の第１のシャフト部と、第１のシャフト部内を貫通して中空半球体１１ｂの開口部の端部に一端が固定された第２のシャフト部とからなり、これらは互いに反対方向に回動する。
【００１９】
中空半球体１１ａは中空半球体１１ｂより若干大径であり、開放時は図１及び図２に示すようにそれぞれの開口部が同じ面にある状態で中空半球体１１ａが中空半球体１１ｂを内部に収容した状態とされ、それぞれの開口部が開放されている。また、中空半球体１１ａ及び１１ｂは、それぞれ非透明であり、外部からは収容されている中身は見えない。なお、中空半球体１１ａ及び１１ｂの各直径は例えば約１５ｃｍ程度である。
【００２０】
愛玩動物用排泄物処理具１０の構成要素である、中空半球体１１ａ及び１１ｂ、二重シャフト１２、把持部１３、駆動部１４、ポリ袋クリップ１６は、強化プラスチック、スチール、ステンレススチール、又はそれぞれの複合素材からなるため極めて軽量であり、また把持部１３の先端から中空半球体１１ａ及び１１ｂの端部までの全長は、例えば３５ｃｍ程度と小型であるため、愛玩動物用排泄物処理具１０は子供や高齢者でも容易に持ち運びできる構成である。
【００２１】
なお、シャフト部１３は、その長さを任意に伸縮できるような構成とすることも可能であり、その場合は愛玩動物用排泄物処理具１０の全長も変化させることができる。
【００２２】
図５は、把持部１３の一実施の形態の構成説明図を示す。把持部１３は、図５（Ａ）に示すレバー状の把持部品１３１と同図（Ｂ）に示すレバー状の把持部品１３２とから大略構成される。図５（Ａ）に示すように、把持部品１３１は基底部に軸穴１３３が設けられ、その反対側の先端部には後に詳述する駆動部１４が設けられている。また、図５（Ｂ）に示すように、把持部品１３２は基底部に中心に軸穴１３４を有する円柱状のバネ受け１３５に本発明のバネ部材を構成するバネ１５が巻回されており、またバネ受け１３５は中空円筒状の部品１３６の外側面に固定されている。把持部品１３１と１３２とは、軸穴１３３、１３４を通る直線Ｉに対してほぼ線対称の構成とされている。また、把持部品１３１と１３２とは、軸穴１３３及び１３４を通して回動自在に軸支される。
【００２３】
中空半球体１１ａ及び１１ｂは、開放時に飼い主が把持部１３の２つの把持部品１３１及び１３２をバネ１５のバネ力に抗して互いに近付くように握ると、駆動部１４によりシャフト部１２ａ及び１２ｂが互いに逆方向に回動し、それに伴いそれぞれ対向する位置の開口部端部を支点１７ａ及び１７ｂとして互いに９０°ずつ反対方向に回動する。その結果、図３及び図４に示すように中空半球体１１ａと中空半球体１１ｂとはそれぞれの開口部同士が突き合わされて、全体として一つの閉じた中空球体を形成する（閉鎖時）。
【００２４】
また、閉鎖時において把持部１３への力の付勢を解除すると、バネ１５のバネ力により２つの把持部品１３１及び１３２は元の位置に自動復帰し、中空半球体１１ａ及び１１ｂも図１及び図２の元の状態に復帰する。なお、図１〜図４には、ポリ袋１８、排泄物１９も図示されている。
【００２５】
次に、本実施の形態の特徴である駆動部１４の構成についてさらに詳細に説明する。
【００２６】
図６は駆動部１４の一実施の形態の平面図を示す。図６に示すように、駆動部１４は内径が異なる半円弧状の駆動部分１４ａ及び１４ｂと、歯車２１及び２２とからなる。駆動部分１４ａには所定ピッチで複数の矩形状の穴１４１が穿設されており、駆動部分１４ｂには所定ピッチで複数の矩形状の穴１４２が穿設されている。また、歯車２１は歯車２２に比べて大径であり、二重シャフト１２を構成する中空の第１のシャフト部１２１の端部に中心部が固定され、かつ、駆動部分１４ａに形成された穴１４１と噛合する構成とされている。一方、歯車２２は第１のシャフト部１２１内を回動自在に貫通して二重シャフト１２を構成する第２のシャフト部１２２の端部に中心部が固定され、かつ、駆動部分１４ｂに形成された穴１４２と噛合する構成とされている。
【００２７】
また、図７の駆動部１４の一実施の形態の概略外観斜視図、及び図８の駆動部１４の一実施の形態の概略外観正面図に示すように、歯車２１及び２２は中心軸が同一であるが、二重シャフト１２の長手方向に対して異なる位置に設けられている。また、図８に示すように、駆動部分１４ｂはその長さが歯車２１に届かず、駆動部分１４ｂに形成された矩形状の穴１４２のみが歯車２２に噛合する。一方、図８に示すように、駆動部分１４ａは歯車２２に届かない位置に設けられており、駆動部分１４ａに形成された矩形状の穴１４１のみに歯車２１が噛合する。
【００２８】
従って、把持部品１３１を図６に示す矢印Ａ方向（すなわち、把持部品１３１及び１３２が互いに近付く方向）に移動すると、駆動部分１４ａ及び１４ｂも一体的に矢印Ａ方向に移動するが、そのとき図９の駆動部１４の一実施の形態の正面図に示すように、矩形状の穴１４１に噛合する大径の歯車２１は反時計方向に回転し、かつ、矩形状の穴１４２に噛合する小径の歯車２２は時計方向に回転する。すなわち、歯車２１及び２２は互いに逆方向に回転する。
【００２９】
これにより、歯車２１の中央部に一端が固定されている第１のシャフト部１２１を介して図１及び図２に示した中空半球体１１ａが第１の方向に９０°回動し、かつ、歯車２２の中央部に一端が固定されている第２のシャフト部１２２を介して図１及び図２に示した中空半球体１１ｂが第１の方向とは逆方向の第２の方向に９０°回動し、その結果、図３及び図４に示したように、中空半球体１１ａ及び１１ｂにより全体として一つの中空球体が形成される。
【００３０】
次に、本実施の形態の愛玩動物用排泄物処理具１０の使用時の動作について説明する。
【００３１】
使用に先立ち、図２に示したように愛玩動物用排泄物処理具１０の開放状態にある中空半球体１１ａ及び１１ｂの開口部をポリ袋１８で覆い、ポリ袋１８の一端部をポリ袋クリップ１６に掛止する。なお、この時点では図２に示した排泄物１９は存在しない。また、ポリ袋１８は専用品ではなく、例えば食品スーパーなどで無料で配布されている幅２４ｃｍ、長さ３２ｃｍ程度のポリ袋あるいはレジ袋を使用できる。
【００３２】
そして、飼い主が把持部１３を握ることで愛玩動物用排泄物処理具１０を図３及び図４に示したように中空半球体１１ａ及び１１ｂにより全体として一つの中空球体にポリ袋１８が挟まれた閉鎖状態として携帯して飼い犬と屋外に散歩に出かける。勿論、この時点では図３及び図４に図示した排泄物１９は存在しない。なお、ポリ袋１８はポリ袋クリップ１６に掛止されているので、愛玩動物用排泄物処理具１０を開放状態のままとして散歩してもよい。携帯時の愛玩動物用排泄物処理具１０は小型かつ軽量であることから、持ち運びに便利である。
【００３３】
散歩の途中、飼い犬が排泄状態に入ると、図１０に示すように、飼い主１０１は愛玩動物用排泄物処理具１０の把持部１３を緩めて開放状態とし、飼い犬１０２の肛門と地上との間に中空半球体１１ａ及び１１ｂの開口部を挿入し、飼い犬１０２の排泄物１９が地上に落下する前に、図１及び図２に示したように中空半球体１１ａ及び１１ｂの開口部の上のポリ袋１８上に排泄物１９を落下させる。
【００３４】
排泄が終了すると、飼い主１０１は把持部１３を握る。なお、この時に必要な握力は子供や高齢者でも可能なきわめて小さな握力でよい。これにより、前述したように、二重シャフト１２の第１のシャフト部１２１を介して中空半球体１１ａが第１の方向に９０°回動し、かつ、第２のシャフト部１２２を介して中空半球体１１ｂが第１の方向とは逆方向の第２の方向に９０°回動する。その結果、愛玩動物用排泄物処理具１０は、図３及び図４に示したように、中空半球体１１ａ及び１１ｂにより全体として一つの中空球体が形成される閉鎖状態となると共に、その中空球体内のポリ袋１８上に排泄物１９が回収される。
【００３５】
従って、本実施の形態の愛玩動物用排泄物処理具１０によれば、極めて簡単な操作により中空球体内に排泄物１９を回収できる。更に、回収された中空球体内の排泄物１９は外部から見えず、また、中空半球体１１ａ及び１１ｂが閉じているので排泄物１９の悪臭は外部には殆ど漏れず、他人に不快感を与えることを防止できる。
【００３６】
その後、排泄物１９の廃棄時は、飼い主１０１が把持部１３を握っている力を緩めることにより、バネ１５のバネ力により２つの把持部品１３１及び１３２は元の位置に自動復帰し、中空半球体１１ａ及び１１ｂも図１及び図２の元の状態に復帰する。これにより、飼い主１０１は、中空球体内に収納したポリ袋１８上の排泄物１９をポリ袋１８にくるんだ状態で取り出し、そのままゴミとして廃棄することができる。従って、本実施の形態の愛玩動物用排泄物処理具１０によれば、飼い主１０１の手を汚すことはなく、極めて簡単に排泄物１９の廃棄処理ができ、また愛玩動物用排泄物処理具１０の洗浄も不要にできる。
【００３７】
なお、本発明は以上の実施の形態に限定されるものではなく、例えば排泄物を収容するための２つの中空回収部分は中空半球体以外の中空の半楕円球体その他形状は問わず、要は中空のカップ形状であればよい。また、ポリ袋１８の代わりにビニール性の素材の日用品のビニール袋規格サイズの袋（シートを含む）等の柔軟性のある合成樹脂製袋でも使用可能であり、容易にしかも無料で取得可能であるので本実施の形態は汎用性に優れている。
【符号の説明】
【００３８】
１０  愛玩動物用排泄物処理具
１１ａ、１１ｂ  中空半球体
１２  二重シャフト
１３  把持部
１４  駆動部
１４ａ、１４ｂ  駆動部分
１５  バネ
１６  ポリ袋クリップ
１７ａ、１７ｂ  支点
１８  ビニール袋
１９  排泄物
２１、２２  歯車
１２１  第１のシャフト部
１２２  第２のシャフト部
１３１、１３２  把持部品
１４１、１４２  矩形状の穴
【図１】
0005440962.tif 000002
【図２】
0005440962.tif 000003
【図３】
0005440962.tif 000004
【図４】
0005440962.tif 000005
【図５】
0005440962.tif 000006
【図６】
0005440962.tif 000007
【図７】
0005440962.tif 000008
【図８】
0005440962.tif 000009
【図９】
0005440962.tif 000010
【図１０】
0005440962.tif 000011